(57)【要約】      （修正有）【課題】手が小さく力の弱い女性でも扱うことができる動物識別耳標の装着器を提供すること、及び、１台の耳標装着器で多種類の耳標装着を可能とする動物識別耳標の装着器を提供する。【解決手段】動力伝達機構６１を備えた変形トグル機構５１は、基本ケース１３の主枢支点ピン１５を境として固定ハンドル部１２と反対側に偏芯させた位置の基本ケース１３上に一端側を枢支した第一リンク５１ｂと、この第一リンク５１ｂの他端側を枢支位置とした第一リンク５１ｂよりも短尺で第二耳標装着部２１とを連結する第二リンク５１ｅとで構成し、加えて、第一リンク５１ｂと前記第二リンク５１ｅとを、雄形状耳標と雌形状耳標を嵌め込む際、ほぼ最大の嵌め込み力を必要とする第二耳標装着部２１の回動位置で最大近くの作用力を得られる姿勢になるように配置する。【選択図】図１
2018139574.tif 000002
【特許請求の範囲】
【請求項１】
雄形状耳標とこの雄形状耳標を嵌め込む雌形状耳標とで一対とした動物識別耳標装着器であって、前記雄形状耳標と前記雌形状耳標のうちいずれか一方の耳標を装着する第一耳標装着部とこの第一耳標装着部後方に位置する握り部分を有する固定ハンドル部とを一体的に形成した基本ケースを設ける一方、前記第一耳標装着部と前記固定ハンドル部の中間位置の前記基本ケースを主枢支点とし前記第一耳標装着部と間隔を設けて対向する前記雄形状耳標と前記雌形状耳標のうちの他方の耳標を装着する第二耳標装着部を備え、さらに、前記主枢支点を共用し、かつ握り部分を有する可動ハンドル部を前記固定ハンドル部に間隔を設けて対向するように配置するとともに、前記可動ハンドル部と前記第二耳標装着部とを、動力伝達機構を備えた変形トグル機構を介して連結し、前記変形トグル機構は、前記基本ケースの主枢支点を境として前記固定ハンドル部と反対側に偏芯させた位置の前記基本ケース上に一端側を枢支した第一リンクと、この第一リンクの他端側を枢支位置とした前記第一リンクよりも短尺で前記第二耳標装着部とを連結する第二リンクとで構成し、加えて、前記第一リンクと前記第二リンクとを、前記雄形状耳標と前記雌形状耳標を嵌め込む際、ほぼ最大の嵌め込み力を必要とする前記第二耳標装着部の回動位置で最大近くの作用力を得られる姿勢になるように配置したことを特徴とする動物識別耳標装着器。
【請求項２】
雄形状耳標とこの雄形状耳標を嵌め込む雌形状耳標とで一対とした動物識別耳標装着器であって、前記雄形状耳標と前記雌形状耳標のうちいずれか一方の耳標を装着する第一耳標装着部とこの第一耳標装着部後方に位置する握り部分を有する固定ハンドル部とを一体的に形成した基本ケースを設ける一方、前記第一耳標装着部と前記固定ハンドル部の中間位置の前記基本ケースを主枢支点とし前記第一耳標装着部と間隔を設けて対向する前記雄形状耳標と前記雌形状耳標のうちの他方の耳標を装着する第二耳標装着部を備え、さらに、前記主枢支点を共用し、かつ握り部分を有する可動ハンドル部を前記固定ハンドル部に間隔を設けて対向するように配置するとともに、前記可動ハンドル部と前記第二耳標装着部とを、動力伝達機構を備えた変形トグル機構を介して連結し、前記変形トグル機構は、前記基本ケースの主枢支点を境として前記固定ハンドル部と反対側に偏芯させた位置の前記基本ケース上に一端側を枢支した第一リンクと、この第一リンクの他端側を枢支位置とした前記第一リンクよりも短尺で前記第二耳標装着部とを連結する第二リンクとで構成し、加えて、前記第一リンクと前記第二リンクとを、前記雄形状耳標と前記雌形状耳標を嵌め込む際、ほぼ最大の嵌め込み力を必要とする前記第二耳標装着部の回動位置で最大近くの作用力を得られる姿勢になるように配置し、さらに、前記第一耳標装着部又は前記第二耳標装着部の内、前記雄形状耳標を装着するいずれか一つの耳標装着部に前記雄形状耳標を内側から支える片持ちピンを設け、この片持ちピン形状のうち少なくともその一部分を根元部側が太く先端部側が細いテーパ形状としたことを特徴とする動物識別耳標装着器。
【請求項３】
前記動力伝達機構を備えた変形トグル機構を、前記主枢支点近傍に配置したことを特徴とする請求項１又は請求項２いずれか一つに記載の動物識別耳標装着器。
【請求項４】
前記動力伝達機構は、前記可動ハンドル部の前記主枢支点を境として前記握り部分側と反対側の前記可動ハンドル部上に位置する部位と，前記第一リンクの枢支位置から前記第二リンクの前記枢支位置に向かった前記第一リンクの部位とを動力伝達連結したことを特徴とする請求項１又は請求項３いずれか一つに記載の動物識別耳標装着器。
【請求項５】
前記第一リンクの枢支位置と前記第二リンクの枢支位置間の仮想直線と前記第二リンクの前記枢支位置と，この第二リンクの前記第二耳標装着部とを連結する連結点間の仮想直線の交差角度を鋭角にしたことを特徴とする請求項１ないし請求項４いずれか一つに記載の動物識別耳標装着器。
【請求項６】
前記第一リンクの枢支位置と前記第二リンクの枢支位置間の仮想直線と前記第二リンクの前記枢支位置と，この第二リンクの前記第二耳標装着部とを連結する連結点間の仮想直線の交差角度を鋭角にするとともに、前記最大近くの作用力位置における前記第一リンクと前記第二リンクとの前記交差角度を思案点を超えないようにしたことを特徴とする請求項１ないし請求項５いずれか一つに記載の動物識別耳標装着器。
【請求項７】
前記第一耳標装着部又は前記第二耳標装着部の内、前記雄形状耳標を装着するいずれか一つの耳標装着部に、前記雄形状耳標を内側から支える片持ちピンを固定するにあたり、前記片持ちピンの付け根側を密巻きに近い形状のスプリングを介して固定したことを特徴とする請求項１ないし請求項６いずれか一つに記載の動物識別耳標装着器。
【発明の詳細な説明】
【技術分野】
【０００１】  本発明は、動物等の個体識別に主に使用する耳標を装着する動物識別耳標の装着器に関し、詳しくは、小さい握りストロークにした上で更に耳標装着時の握り力を大幅に緩和した動物識別耳標の装着器に関する。
【背景技術】
【０００２】    畜産動物、例えば、牛の個体識別用として全国の各農家等に配付している現在の耳標は、当該耳標を装着するための器具を必要とする。
前記耳標の配布当初においては、ＢＳＥ（Ｂｏｖｉｎｅ  Ｓｐｏｎｇｉｆｏｒｍ  Ｅｎｃｅｐｈａｌｏｐａｔｈｙ：日本名  牛海綿状脳症）との関連において牛の個体識別管理等を緊急実施する必要性があったため、当該耳標を装着する装着器を、日本国内で使用するにふさわしい耳標装着器とすべく研究開発を行う間もないまま、やむなく耳標装着器を世界各国から集め全国の農家等へ配布した経緯がある。
従って、全国の各農家等には外国製で、しかも特定の耳標しか装着できない耳標装着器が各農家等に配布される結果となり、これに伴って、毎年農家に配布される当該耳標も各耳標装着器との適合性が必須要件となっている。
これは、耳標の配布管理も大変煩雑であるが、耳標装着器も外国製であることから、その握り部分が広すぎて使用しにくいとの問題も浮上してきている。特に最近、牛を含めた家畜等の飼養農家等には手が小さく力の弱い女性も多く進出しており、外国製の耳標装着器を扱うのに苦慮しているとの声も多く聞かれるようになってきている。
【先行技術文献】
【特許文献】
【０００３】
【特許文献１】特表２００１−５０５０５２号公報
【特許文献２】特表２０１３−５１７７９４号公報
【０００４】  「特許文献１」に記載されている技術は、日本国内に配布されている上述した外国製の耳標装着器のうちの一つの耳標装着器に係る技術であって、第１と第２のあご部及び各あご部を互いに引き寄せる方向に動かす第１と第２のハンドル部をピポット軸を中心に回動させることを基本とし、そのうちの第１のあご部と第１のハンドル部を釈放構造により連結し、耳標を牛耳等に打ち込んだ瞬間に第１のあご部が瞬時に戻る構造の耳標装着器（公報には「耳標取り付け具」と記載）の技術である。【０００５】  「特許文献２」には、「特許文献１」の技術を改良した技術が開示されている。
この技術は、「特許文献１」の釈放構造に代えてリンク部材と第２のリンクを枢着軸で連結しこれらリンクをほぼ直線に近い状態に伸ばすとともに、枢着軸を思案点超えをさせて少し“く”の字状態からそれ以上内側に曲がらない状態とすることにより、各リンクの姿勢を維持させ、これにより「特許文献１」で言うあご部材に該当する第１と第２のジョー部分を互いに引き寄せる方向に回動させ、耳標を牛耳等に打ち込んだ瞬間に、制御部材によって枢着軸部分が思案点を強制的に超えて戻る構造になっていて、“く”の字のリンクを反“く”の字状態にしてジョー部分を瞬時に戻すようにしている。
【発明の開示】
【発明が解決しようとする課題】
【０００６】  「特許文献１」に開示されている先行技術は、耳標を牛耳等に打ち込んだ瞬間に第１のあご部が瞬時に戻るようにしたものであり、また、「特許文献２」に記載された先行技術は、「特許文献１」の釈放構造をリンク機構に代えたものであって、上記いずれの先行技術も、耳標装着時の握り力を緩和したものではない。
特に、「特許文献１」に記載されている技術は、上述したように現行の日本国内に配布されている上述した外国製の耳標装着器そのものである。
現実に耳標を牛耳等に装着する際に「特許文献１」に記載された技術による耳標装着器は、牛耳の保護等の観点からは評価できるものであるが、大きな握り力と広い握り幅を必要とするため特に日本人女性にとっては扱いにくいとの上述した意見が多く聞かれる。【０００７】  現在日本全国の農家等へ配布している各耳標装着器は、鋏のように支点位置において一対の耳標装着部とハンドル部分をクロスさせているだけなので、力点・支点・作用点からなる“てこ”の原理そのものであって、作用力を増大させようとすれば必然的にハンドル部分は長い距離を必要としハンドル部分の握り幅は大きく広がることになる。
念のため、上記意見を技術的見地から確認するために上記各耳標装着器の力点―支点間の距離と支点―作用点間の距離を測定したところ、力点―支点間距離を１２．５ｃｍと固定した場合、力点と作用点の長さ比は、「特許文献１」に記載された技術により製作された耳標装着器も含め、力点１に対しすべての耳標装着器で作用点において０．５２〜０．６０程度であり、雄形状耳標を雌形状耳標に装着する際発生する挿入力（作用点における力）の１／２以上の握り力が必要であることが判明した。
特に厳冬期においては、常温時の数倍となる上記挿入力の増大に対し、耳標装着作業者が対処に苦慮することが目に見えるようであり上記多くの意見を裏付ける結果となった。【０００８】  また、「特許文献１」に記載された技術により製作された耳標装着器に代表されるように雄形状耳標を内側から支えるピンは、特殊形状をしているため、特定の耳標にしか使用できないため、他の耳標を使用するためには、別の耳標装着器を用意しなければならない等の問題もある。【０００９】  そこで、本発明は、手が小さく力の弱い女性でも扱うことができる動物識別耳標の装着器を提供することを第一の目的とする。
また、１台の耳標装着器で多種類の耳標装着を可能とする動物識別耳標の装着器を提供することを第二目的とする。
【課題を解決するための手段】    上記目的を達成するために本発明では次のような手段を用いて課題を解決した。
第一の課題解決手段は、雄形状耳標とこの雄形状耳標を嵌め込む雌形状耳標とで一対とした動物識別耳標の装着器であって、前記雄形状耳標と前記雌形状耳標のうちいずれか一方の耳標を装着する第一耳標装着部とこの第一耳標装着部後方に位置する握り部分を有する固定ハンドル部とを一体的に形成した基本ケースを設ける一方、前記第一耳標装着部と前記固定ハンドル部の中間位置の前記基本ケースを主枢支点とし前記第一耳標装着部と間隔を設けて対向する前記雄形状耳標と前記雌形状耳標のうちの他方の耳標を装着する第二耳標装着部を備え、さらに、前記主枢支点を共用し、かつ握り部分を有する可動ハンドル部を前記固定ハンドル部に間隔を設けて対向するように配置するとともに、前記可動ハンドル部と前記第二耳標装着部とを、動力伝達機構を備えた変形トグル機構を介して連結し、前記変形トグル機構は、前記基本ケースの主枢支点を境として前記固定ハンドル部と反対側に偏芯させた位置の前記基本ケース上に一端側を枢支した第一リンクと、この第一リンクの他端側を枢支位置とした前記第一リンクよりも短尺で前記第二耳標装着部とを連結する第二リンクとで構成し、加えて、前記第一リンクと前記第二リンクとを、前記雄形状耳標と前記雌形状耳標を嵌め込む際、ほぼ最大の嵌め込み力を必要とする前記第二耳標装着部の回動位置で最大近くの作用力を得られる姿勢になるように配置した動物識別耳標の装着器を提供する。【００１０】  第二の課題解決手段は、雄形状耳標とこの雄形状耳標を嵌め込む雌形状耳標とで一対とした動物識別耳標の装着器であって、前記雄形状耳標と前記雌形状耳標のうちいずれか一方の耳標を装着する第一耳標装着部とこの第一耳標装着部後方に位置する握り部分を有する固定ハンドル部とを一体的に形成した基本ケースを設ける一方、前記第一耳標装着部と前記固定ハンドル部の中間位置の前記基本ケースを主枢支点とし前記第一耳標装着部と間隔を設けて対向する前記雄形状耳標と前記雌形状耳標のうちの他方の耳標を装着する第二耳標装着部を備え、さらに、前記主枢支点を共用し、かつ握り部分を有する可動ハンドル部を前記固定ハンドル部に間隔を設けて対向するように配置するとともに、前記可動ハンドル部部と前記第二耳標装着部とを、動力伝達機構を備えた変形トグル機構を介して連結し、前記変形トグル機構は、前記基本ケースの主枢支点を境として前記固定ハンドル部と反対側に偏芯させた位置の前記基本ケース上に一端側を枢支した第一リンクと、この第一リンクの他端側を枢支位置とした前記第一リンクよりも短尺で前記第二耳標装着部とを連結する第二リンクとで構成し、加えて、前記第一リンクと前記第二リンクとを、前記雄形状耳標と前記雌形状耳標を嵌め込む際、ほぼ最大の嵌め込み力を必要とする前記第二耳標装着部の回動位置で最大近くの作用力を得られる姿勢になるように配置し、さらに、前記第一耳標装着部又は前記第二耳標装着部の内、前記雄形状耳標を装着するいずれか一つの耳標装着部に前記雄形状耳標を内側から支える片持ちピンを設け、この片持ちピン形状のうち少なくともその一部分を根元部側が太く先端部側が細いテーパ形状とした動物識別耳標の装着器を提供する。【００１１】  第三の課題解決手段は、第一��課題解決手段又は第二の課題解決手段のいずれか一つに加え、前記動力伝達機構を備えた変形トグル機構を、前記主枢支点近傍に配置した動物識別耳標の装着器を提供する。【００１２】  第四の課題解決手段は、第一の課題解決手段又は第三の課題解決手段のいずれか一つに加え、前記動力伝達機構は、前記可動ハンドル部の前記主枢支点を境として前記握り部分側と反対側の前記可動ハンドル部上に位置する部位と，前記第一リンクの枢支位置から前記第二リンクの前記枢支位置に向かった前記第一リンクの部位とを動力伝達連結した動物識別耳標の装着器を提供する。【００１３】  第五の課題解決手段は、第一の課題解決手段ないし第四の課題解決手段のいずれか一つに加え、前記第一リンクの枢支位置と前記第二リンクの枢支位置間の仮想直線と前記第二リンクの前記枢支位置と，この第二リンクの前記第二耳標装着部とを連結する連結点間の仮想直線の交差角度を鋭角にした動物識別耳標の装着器を提供する。【００１４】  第六の課題解決手段は、第一の課題解決手段ないし第五の課題解決手段のいずれか一つに加え、前記第一リンクの枢支位置と前記第二リンクの枢支位置間の仮想直線と前記第二リンクの前記枢支位置と，この第二リンクの前記第二耳標装着部とを連結する連結点間の仮想直線の交差角度を鋭角にするとともに、前記最大近くの作用力位置における前記第一リンクと前記第二リンクとの前記交差角度を思案点を超えないようにした動物識別耳標の装着器を提供する。【００１５】  第七の課題解決手段は、第一の課題解決手段ないし第六の課題解決手段のいずれか一つに加え、前記第一耳標装着部又は前記第二耳標装着部のうち、前記雄形状耳標を装着するいずれか一つの耳標装着部に、前記雄形状耳標を内側から支える片持ちピンを固定するにあたり、前記片持ちピンの付け根側を密巻きに近い形状のスプリングを介して固定した動物識別耳標の装着器を提供する。
【発明の効果】
【００１６】  上記、第一の課題解決手段による作用効果は、可動ハンドル部と第二耳標装着部とを、動力伝達機構を備えた変形トグル機構を介して連結し、この変形トグル機構の第一リンクと第二リンクとを、雄形状耳標と雌形状耳標を嵌め込む際、ほぼ最大の嵌め込み力を必要とする第二耳標装着部の回動位置で最大近くの作用力を得られる姿勢になるように配置した。したがって、力点となる可動ハンドル部には、雄形状耳標が動物の耳に到達するまでは、大きな力を必要としないので、第二耳標装着部の回動速度を優先させることができる。
また、それ以降、雄形状耳標が動物の耳に食い込む時は極めて大きな作用力が発生するが、力点である可動ハンドル部には小さな反力しか伝達されないことになる。
換言すれば、可動ハンドル部においては、動物の耳に雄形状耳標が到達するまでは可動ハンドル部の回動速度が大きくなり、動物の耳に雄形状耳標が到達した後は、可動ハンドル部の回動速度が小さくなる半面、小さな握り力で強大な力を作用点である第二耳標装着部に伝達できることになる。
したがって、可動ハンドル部を従来の耳標装着器のようにハンドル部を長くして握り部分の幅を広げなくても小さな握り力で耳標を装着することが可能となる。その結果、手が小さく力の弱い女性でも扱うことができる動物識別耳標の装着器を提供することができる効果がある。【００１７】上記、第二の課題解決手段による作用効果は、可動ハンドル部と第二耳標装着部とを、動力伝達機構を備えた変形トグル機構を介して連結し、この変形トグル機構の第一リンクと第二リンクとを、雄形状耳標と雌形状耳標を嵌め込む際、ほぼ最大の嵌め込み力を必要とする第二耳標装着部の回動位置で最大近くの作用力を得られる姿勢になるように配置した。したがって、力点となる可動ハンドル部には、雄形状耳標が動物の耳に到達するまでは、大きな力を必要としないので、第二耳標装着部の回動速度を優先させることができる。
また、それ以降、雄形状耳標が動物の耳に食い込む時は極めて大きな作用力が発生するが、力点である可動ハンドル部には小さな反力しか伝達されないことになる。
換言すれば、可動ハンドル部においては、動物の耳に雄形状耳標が到達するまでは可動ハンドル部の回動速度が大きくなり、動物の耳に雄形状耳標が到達した後は、可動ハンドル部の回動速度が小さくなる半面、小さな握り力で強大な力を作用点である第二耳標装着部に伝達できることになる。
したがって、可動ハンドル部を従来の耳標装着器のようにハンドル部を長くして握り部分の幅を広げなくても小さな握り力で耳標を装着することが可能となる。その結果、手が小さく力の弱い女性でも扱うことができる動物識別耳標の装着器を提供することができる効果がある。
さらに、雄形状耳標を装着するいずれか一つの耳標装着部に前記雄形状耳標を内側から支える片持ちピンを設け、この片持ちピン形状のうち少なくともその一部分を根元部側が太く先端部側が細いテーパ形状としたことにより、耳標の製作者により異なる雄形状耳標の片持ちピンの挿入部分にも対応ができる。このことは、耳標によっては片持ちピンと雄形状耳標の挿入部分との嵌合がきつく雄形状耳標から片持ちピンが抜けにくい状態も考えられるが、この抜け始め位置における変形トグル機構の戻り力が極めて大きいため第二耳標装着部と第一耳標装着部の離間力が大きくなることを意味し、片持ちピンと雄形状耳標の挿入部分との嵌合がきつくても、簡単に耳標から片持ちピンを引き離すことができる。
すなわち、１台の耳標装着器で多種類の耳標装着を可能とする動物識別耳標の装着器を提供するとした第二の目的も達成できる。【００１８】  上記、第三の課題解決手段による作用効果は、第一耳標装着部と固定ハンドル部の中間位置の基本ケースを主枢支点とし、その近傍に動力伝達機構を備えた変形トグル機構を、主枢支点近傍に配置したので、耳標装着器全体をコンパクト化することができ、女性でも扱いやすい動物識別耳標の装着器を提供することができる効果がある。【００１９】  上記、第四の課題解決手段による作用効果は、第二耳標装着部と可動ハンドル部との作動方向を逆にする、換言すれば、可動ハンドル部を握る方向に回動させれば第二耳標装着部は、第一耳標装着部側に向かって回動するので、従前の耳標装着器と同様に扱うことができ、作業者にとって違和感なく扱うことができる。【００２０】  上記、第五の課題解決手段による作用効果を述べると次のようになる。
すなわち、第二リンクの枢支位置における第一リンクの回転方向の力をＦとし、第二リンクの長手方向に作用する力をＰとし、第一リンクの枢支位置と第二リンクの枢支位置間の仮想直線と第二リンクの枢支位置とこの第二リンクの第二耳標装着部とを連結する連結点間の仮想直線の交差角度αとした時、Ｐ＝Ｆ／ｓｉｎαの関係式が成り立つので、前記交差角を鋭角にしたということは、該交差角が小さいほど第二リンクの長手方向に作用する力は増幅されることを意味し、具体的な意味において上記第一の目的達成に資することになる。【００２１】  上記、第六の課題解決手段による作用効果は、雄形状耳標と雌形状耳標を嵌め込む際、ほぼ最大の嵌め込み力を必要とする第二耳標装着部の回動位置で最大近くの作用力を得られる状態における第一リンクと第二リンクの位置関係で上記交差角度αが思案点を超えないようにしているので、第二耳標装着部が原位置に戻る際の戻り力を大きくできることを意味している。換言すれば、第二耳標装着部が外的障害物に触ったとしても動物からいち早く第二耳標装着部が離れることに繋がり、安全性を確保できることになる。【００２２】  上記、第七の課題解決手段による作用効果は、片持ちピンの根元側は、密巻きに近いスプリングを介して固定されているので、耳標装着に際して、動物がこの装着から逃れようとしても、スプリング作用により片持ちピンの姿勢は動物の逃れ方向に沿うようになり、動物識別耳標の装着器が飛ばされることなく、作業者は安全に作業をすることができる。【００２３】  このように、本発明では、手が小さく力の弱い女性でも扱うことができる動物識別耳標の装着器を提供すること及び１台の動物識別耳標の装着器で多種類の耳標装着を可能とする動物識別耳標の装着器を提供するとした所期の目的を達成できる他、各態様により上述したそれぞれの作用効果を奏する。
【図面の簡単な説明】
【００２４】
【図１】は、本発明の動物識別耳標の装着器の要部を示すもので、図２のＡ−Ａ線における外装部分及び一部の機構部分を断面した正面視の説明図
【図２】は、本発明の動物識別耳標の装着器の一例を示す平面図
【図３】は、図２の正面図
【図４】は、図１における正面視の動力伝達機構を備えた変形トグル機構を拡大して展開した説明図
【図５】は、図１の動力伝達機構部分の一部を拡大し、図４のＢ−Ｂ線位置で断面した正面視の説明図
【図６】は、雄形状耳標と雌形状耳標を嵌め込む際、ほぼ最大の嵌め込み力を必要とする第二耳標装着部の回動位置で最大近くの作用力を得られる姿勢の一例を示す説明図
【図７】は、耳標の装着が完了した瞬間の各機構の姿勢の一例を示す説明図
【図８】は、他の実施例を示す図１に相当する正面視の説明図
【図９】は、本発明の動物識別耳標の装着器により動物に装着する耳標の一例を示す一部断面した斜視説明図
【発明を実施するための形態】
【実施例】
【００２５】  先ず、本発明の動物識別耳標の装着器で動物に装着する動物識別耳標について述べる。
図９において、雄形状耳標１とこの雄形状耳標１を嵌め込む雌形状耳標２とで一対とした動物識別耳標ＥＴのうち、雄形状耳標１は、札部１ａとこの札部１ａの一部から延設した軸部１ｂとこの軸部１ｂ先端側に設けた矢尻部１ｃと軸部の中央付近に穿設したピン挿込穴１ｄとから成る。ピン挿込穴１ｄは、後述する動物識別耳標ＥＴの装着器Ｔの片持ちピン３１を挿し込む有底孔である。【００２６】  また、雌形状耳標２は、札部２ａと、この札部２ａの一部に設け抜け止め部２ｃを備えた嵌め込み穴２ｂと、矢尻収納部２ｄとを有する。【００２７】上記動物識別耳標ＥＴは、図９に示すような札型のものや、図示しないが丸型のもの等装着動物により使い分けしているが、殆どが耳標製作メーカの推奨する同一の耳標装着器が使用できるようになっている。
そして、動物識別耳標ＥＴは、耳標製作メーカにより寸法や形状が異なるものの、基本構成は上述した通りであって、材質もその多くは、ポリウレタン樹脂を主体とした樹脂製であることを付記しておく。【００２８】  次に本発明の動物識別耳標の装着器について述べる。
図１〜図５において、動物識別耳標の装着器Ｔは、前記雄形状耳標１と前記雌形状耳標２のうちいずれか一方の耳標を装着する第一耳標装着部１１とこの第一耳標装着部１１後方に位置する握り部分１２ａを有する固定ハンドル部１２とを一体的に形成した基本ケース１３を設けている。なお、第一耳標装着部１１は、この実施例では雌形状耳標２を装着するようにしている。【００２９】  第一耳標装着部１１の先端側には、雌形状耳標２を挟み込むための耳標押え板１４を配備している。この耳標押え板１４は、第一耳標装着部１１に搖動支点１４ｃを持ち、第一耳標装着部１１先端側に位置するＵ字形の耳標押え部１４ａと、搖動支点１４ｃの後方に位置する押え解除片１４ｂと、この押え解除片を下方から付勢するスプリング１４ｄとから形成している。すなわち、雌形状耳標２は、スプリング１４ｄの付勢力により耳標押え部１４ａと第一耳標装着部１１先端部との間に挟まれるので、装着器Ｔの先端が下向きになっても雌形状耳標２がその自重等で位置ずれしない程度のスプリング１４ｄの付勢力とするのが望ましい。【００３０】  この実施例においては、耳標押え部１４ａ裏側に対面する位置の第一耳標装着部１１の先端部に、雌形状耳標２の受け部２ｅを納めるＵ字形の段溝１１ａを備えている。この段溝１１ａは、耳標製作メーカにより動物識別耳標の形状寸法が異なるので、図９に示す受け部２ｅがある雌形状耳標２については、受け部２ｅを段溝１１ａ内に収まるように段溝１１ａの寸法を定めればよく、受け部２ｅがない雌形状耳標については、段溝１１ａの上面１１ｂで受けるようにすればよい。
また、図９に示す矢尻収納部２ｄの外周部分はボス２ｆが形成されており、このボス２ｆに相当するものは他の各耳標も備えており、したがって、図９に示すものも含めてすべての雌形状耳標は矢尻収納部の外周形状がボスとして突出していることから、第一耳標装着部１１の先端部の段溝１１ａ下部の第一耳標装着部１１にはボス収納部１１ｃを設けていて、段溝１１ａとボス収納部１１ｃの存在により、現在流通している多くの動物識別耳標の雌形状耳標を耳標押え板１４で第一装着部に押え込むことができるようにしている。【００３１】  一方、第一耳標装着部１１と前記固定ハンドル部１２の中間位置の前記基本ケース１３には、主枢支点となる主枢支点ピン１５を配備している。そしてこの主枢支点ピン１５を枢支点とし第一耳標装着部１１と間隔を設けて対向する雄形状耳標１と前記雌形状耳標２のうちの他方の耳標（この実施例では雄形状耳標１）を装着する第二耳標装着部２１を備えている。主枢支点ピン１５の配設位置は、図１，図３において、第二耳標装着部２１が主枢支点ピン１５を中心として反時計回りに回動した時に第一耳標装着部１１と対向するように定めている。【００３２】  また、第二耳標装着部２１の先端側には、雄形状耳標１のピン挿入穴１ｄ（図９）に挿し込む片持ちピン３１を配設している。この片持ちピン３１はピン取付け部３１ａに螺設されていて、ピン取付け部３１ａは、密巻きに近いスプリング３１ｂを介して第二耳標装着部２１の先端側に固定したピン固定部３１ｃと繋がっている。
スプリング３１ｂの両端部分は、ピン取付け部３１ａとピン固定部３１ｃに圧接螺合か若しくはロー付等により固定されている。
そして、耳標装着時に動物が逃げた場合に動物用識別耳標ＥＴが動物の動きにより引っ張られるが、その際、スプリング３１ｂの中間部が動物の逃走方向に曲がることによって片持ちピン３１から雄形状耳標１が抜けるようにして、動物の耳の損傷と片持ちピン３１の破損を防止している。
すなわち、通常の耳標装着時の動物用識別耳標ＥＴの姿勢は、動物の真横から動物側に先端部が向く姿勢で装着作業を行うので、動物が首を振って動物識別耳標の装着器Ｔから離れる方向に逃げる場合が多いことから、片持ちピン３１は少なくとも第二耳標装着部２１の前方に曲がるようにしている。これに伴って雌形状耳標２も第一耳標装着部１１の段溝１１ａとボス収納部１１ｃを第一耳標装着部１１先端側を開放して、片持ちピン３１の曲りと同じ方向に雌形状耳標２が外れるようにしている。【００３３】  一方、片持ちピン３１は、雄形状耳標１のピン挿入穴１ｄに挿し込むが、このピンの一部にテーパ部３１ｄを形成している。このテーパ部３１ｄは、ピン挿入穴１ｄの形状寸法が各耳標メーカにより異なっても、片持ちピン３１に雄形状耳標１が喰い付くようにしたものである。
本発明では、片持ちピン３１と雄形状耳標１の喰い付き力が大きくなっても後述する耳標装着後の装着器Ｔには極めて大きな戻り力が発生するので、装着時の握り力にほぼ影響を与えることなく、この大きな戻り力によって確実に片持ちピン３１を雄形状耳標１から抜くことができる。
従来の装着器の場合では、装着動作後の戻り力を強くすれば装着時の握り力に大きな影響が出るため、戻り力を大きくできない問題があったが本発明はそれも解決している。【００３４】    次に、可動ハンドル部４１側について述べれば、基本ケース１３上の主枢支点ピン１５を共用して、握り部分４１ａを有する可動ハンドル部４１を固定ハンドル部１２に間隔を設けて対向するように配置している。
そして、可動ハンドル部４１と第二耳標装着部２１は、動力伝達機構６１を備えた変形トグル機構５１を介して連結している。これを詳述すると次のようになる。
変形トグル機構５１は、基本ケース１３の主枢支点ピン１５中心を境として固定ハンドル部１２と反対側に偏芯させた位置の前記基本ケース１３上に一端側を第一リンク枢支ピン５１ａにより枢支した第一リンク５１ｂと、この第一リンク５１ｂの他端側の第二リンク枢支ピン５１ｃを枢支位置とした前記第一リンク５１ｂよりも短尺で第二耳標装着部２１とを連結ピン５１ｄにより連結する第二リンク５１ｅとで構成している。
加えて、第一リンク５１ｂと第二リンク５１ｅとを、雄形状耳標１と前記雌形状耳標２を嵌め込む際、ほぼ最大の嵌め込み力を必要とする第二耳標装着部２１の回動位置で最大近くの作用力を得られる姿勢になるように配置する。【００３５】  上記、雄形状耳標１と前記雌形状耳標２を嵌め込む際、ほぼ最大の嵌め込み力を必要とする第二耳標装着部２１の回動位置で最大近くの作用力を得られる姿勢について、更に詳述すれば、図１に示すように装着器Ｔの装着動作前の変形トグル機構５１の第一リンク５１ｂと第二リンク５１ｅの配置は次のように定めるのが望ましく、それにより、上記“最大近くの作用力を得られる姿勢”を得ることができる。【００３６】  すなわち、装着器Ｔの装着動作前の変形トグル機構５１のなす角度、詳しくは、第一リンク５１ｂの枢支位置である第一リンク枢支ピン５１ａの中心と第二リンク５１ｅの枢支位置である第二リンク枢支ピン５１ｃの中心間の仮想直線５１ｆと第二リンク５１ｅの枢支位置である第二リンク枢支ピン５１ｃの中心とこの第二リンク５１ｅの第二耳標装着部２１とを連結する連結点である連結ピン５１ｄの中心間の仮想直線５１ｇのなす角度を定めるには、先ず、動物用識別耳標ＥＴの雄形状耳標１の矢尻部１ｃが雌形状耳標２の嵌め込み穴２ｂに入る際、最も大きな装着力を必要とする位置（図６に示す部分）から、矢尻部１ｃが嵌め込み穴２ｂを抜け出る位置（図７に示す部分）までの第二耳標装着部２１の回動位置を求める。これにより、連結ピン５１ｄの中心位置が定まるので、ここに第二リンクの連結位置を配すれば、第一リンク５１ｂと第二リンク５１ｅ両方の仮想直線５１ｆ，５１ｇのなす角度αが最も小さくなる。加えて、矢尻部１ｃが嵌め込み穴２ｂを抜け出る位置における連結ピン５１ｄの中心が、仮想直線５１ｆ（思案点）を超えない位置になるように第一リンク５１ｂと第二リンク５１ｅの位置を調整して定める。【００３７】  次に、装着器Ｔの装着動作前の片持ちピン３１の先端と耳標押え板１４ａ間の距離が適正になるように第二耳標装着部２１の主枢支点ピン１５を回転中心とした回動開始位置を定める。これにより、連結ピン５１ｄの位置が決まるので、その位置と第一リンク支点ピン５１ａに第二リンク５１ｅの連結位置と第一リンク５１ｂ枢支位置を合わせれば、必然的に装着器Ｔの装着動作前の変形トグル機構５１を配置する位置が定まる。この時、仮想直線５１ｆと仮想直線５１ｇの交差角度が鋭角にすることが望ましい。
その理由は、いま、第二リンク５１ｅの第二リンク枢支ピン５１ｃ位置における第一リンク５１ｂの回転方向の力をＦとし、第二リンク５１ｅの長手方向下向きに作用する力（仮想直線上の下向きの力）をＰとし、仮想直線５１ｆと仮想直線５１ｇの交差角度をαとした時、Ｐ＝Ｆ／ｓｉｎαの関係式が成り立つので、前記交差角を鋭角にすることが望ましいということは、ｓｉｎαが１未満となり該交差角αが９０度より小さいほど第二リンク５１ｅの長手方向に作用する力は増幅される。
換言すれば、図６，図７に示すように、交差角αが思案点近くまで小さくなればなるほど第二リンク５１ｅの下向きの長手方向に作用する力は著しく増大し、雄形状耳標１と前記雌形状耳標２を嵌め込む際、ほぼ最大の嵌め込み力を必要とする第二耳標装着部２１の回動位置で最大近くの作用力を得られることになる。【００３８】  続いて、変形トグル機構５１に備えた動力伝達機構６１について説明すれば、上述したように、雄形状耳標１と前記雌形状耳標２を嵌め込む際、ほぼ最大の嵌め込み力を必要とする第二耳標装着部２１の回動位置の交差角αが思案点近くまで小さくなり第二リンク５１ｅの下向きの長手方向に作用する力は著しく増大するので、第一リンク５１ｂを動かす力Ｆは極めて小さな動力伝達でよいことになる。【００３９】  上述したように、第一リンク５１ｂを動かす力Ｆは極めて小さな動力伝達でよいことから、動力伝達機構６１を定めるにあたっては次の手順で定めるのが望ましい。
先ず、日本人女性の手のひらサイズから固定ハンドル部１２の握り部１２ａと可動ハンドル部４１の握り部４１ａ間の広さを求めて、装着器Ｔの装着動作前の可動ハンドル部４１の位置を定める。
次に、主枢支点ピン１５中心位置と第一リンク枢支ピン５１ａ間の適正位置に動力伝達ピン６１ａを配置する。これは、第一リンク枢支ピン５１ａと動力伝達ピン６１ａの中心間距離が短くても、変形トグル機構５１の連結ピン５１ｄの位置では、角度αが小さくなれば強大な力が増幅されることに鑑み、第一リンク枢支ピン５１ａと動力伝達ピン６１ａの中心間距離を長くしなくても充分強大な力を片持ちピン３１に伝達でき、コンパクトな動力伝達機構６１にできること、及び第一リンク５１ｂを図１において反時計回りに回動させるために他ならない。
なお、この動力伝達ピン６１ａは図４に示すように、この実施例では２枚の第一リンク５１ｂ間に挟むように固定する。そして、図５で詳細に示すように可動ハンドル部４１の主枢支点ピン１５の固定ハンドル部１２の反対側に長溝４１ｂを設け、この長溝４１ｂに動力伝達ピン６１ａを嵌め込む。
すなわち、可動ハンドル部４１が主枢支点ピン１５を中心に時計方向に回動するとき、第一リンク５１ｂは第一リンク枢支ピン５１ａを中心に長溝４１ｂの回転方向と反対に反時計方向に回転し動力伝達ピン６１ａが長溝の中を僅かにスライドしながら、可動ハンドル部４１の動力を第一リンク５１ｂに伝達するようにする。
このような動力伝達機構６１の構成により、従来の装着器同様、可動ハンドル部４１を握ると、第二耳標装着部２１は第一耳標装着部１１側に回動するようにできるので、従来の装着器を使い慣れた作業者でも違和感なく本発明の装着器Ｔを操作できる。【００４０】  ちなみに、この実施例の装着器Ｔの握り力について検討してみると、例えば各図の構成比の場合、主枢支点ピン１５の中心から可動ハンドル部４１の握り部４１ａ（力点）までの距離を１２．５ｃｍとし、この握り部４１ａに加える力を１とした時の片持ちピン３１に加わる力（作用力）の倍率は、図１の無負荷状態時で約１．４倍，図６のほぼ最大の嵌め込み力を必要とする第二耳標装着部２１の回動位置で最大近くの作用力を得られる姿勢状態時で約５．５倍，となり、力点である握り部４１ａの握り力に換算すると、雄形状耳標１を雌形状耳標２に装着する際発生する挿入力（作用点における力）の約５．５分の１の握り力で済むことになって、従来の各装着器の約２．７５分の１以下の握り力ですむことになり、力のない女性でも容易に扱えることを付記する。【００４１】  上述のように、小さな握り力で大きな装着力を得られるので、力のない女性でも動物用耳標を牛耳に装着することができる本発明は、装着後の戻り力も大きくできることを意味している。
すなわち、第一リンク５１ｂの後述するスプリング６１ｃによる戻り力により、耳標装着後の変形トグル機構５１の姿勢第一リンク５１ｂに対する第二リンク５１ｅの前述した角度αが思案点を超えない最も小さい角度の状態になっているため、片持ちピン３１位置における戻り力は最も増幅された戻り力となる。
片持ちピン３１のテーパ部３１ｄは、雄形状耳標１のピン挿入穴１ｄの形状寸法が各耳標メーカにより異なることによる前述した喰い付き現象があっても、片持ちピン３１位置の増幅された戻り力により、この喰い付き現象を解消して各メーカの雄形状耳標から片持ちピン３１を抜くことができ、しかも、可動ハンドル部４１の握り力に影響を与えることがないことを意味している。
その結果、雄形状耳標は上記理由により、また、雌形状耳標２の受け部２ｅを第一耳標装着部の段溝１１ａ内に収まるように段溝１１ａの寸法を定め、受け部２ｅがない雌形状耳標については、段溝１１ａの上面１１ｂで受けるようにすることにより、多少形状寸法が異なる雄形状耳標１と雌形状耳標２であっても本発明の装着器Ｔは、同一の装着器で、片持ちピンを交換することなく多くの種類の耳標を装着できる効果もある。【００４２】  なお、スプリング６１ｃは第一リンク５１ｂの第一リンク枢支ピン５１ａと第二リンク枢支ピン５１ｃ間に設けたスプリングハンガー６１ｄと可動ハンドル部４１に設けたスプリングハンガーピン４１ｄとに張るスプリングであって、常に、第一リンクを時計回りに回動させ、可動ハンドル部４１を反時計回りに回動するよう付勢している。
このスプリング６１ｃは、柔らかすぎると装着器Ｔの自重や重心位置によっては自重等の影響により可動ハンドル部４１が動くと持ちにくくなるため、装着器Ｔの自重や重心位置を考慮しつつ、耳標装着時の握り力に大きな影響を与えない範囲においてその強さを定めればよい。【００４３】  または、図８に示すように、固定ハンドル部１２と可動ハンドル部４１の図８に示す位置にもう１本補助的に補助スプリング６１ｄを設けてもよく、スプリング６１ｃを取り除いて補助スプリング６１ｄのみにしても本発明は達成される。【００４４】  なお、第一リンク５１ｂと主枢支点ピン１５は図１（詳細は図４参照）の状態では接触しているが、これは、装着器Ｔの装着動作前の片持ちピン３１の先端と耳標押え板１４ａ間の距離が適正になるように第二耳標装着部２１の主枢支点ピン１５を回転中心とした回動開始位置を定めるに際し、この実施例では第一リンク５１ｂと主枢支点ピン１５を接触させることにより第二耳標装着部２１の回動開始位置を定めている。
また、日本人女性の手のひらサイズから固定ハンドル部１２の握り部１２ａと可動ハンドル部４１の握り部４１ａ間の広さを求めて、装着器Ｔの装着動作前の可動ハンドル部４１の位置を定めるに際し、この実施例では、可動ハンドル部４１の先端側の一部を膨出させて第一リンク枢支ピン５１ａに接触させ可動ハンドル部４１のストッパとしている。【００４５】  さらにこの実施例では、図１，図４〜図８に示すように、連結ピン５１ｄ，第二リンク枢支ピン５１ｃ，及び第一リンク枢支ピン５１ａのスラスト方向への移動規制策として、一方向へはスライドするが他方向へはその位置でロックする一方向ワッシャ７１ａを設けており、さらに、主枢支ピン１５及び第一リンク枢支ピン５１ａの両端部を袋ナット状の一方向ワッシャ７１ｂで各ピンのスラスト方向の動きを規制している。
これは、ねじ等を使用しないため緩む心配がないばかりか組立工数削減等に効果がある。
【産業上の利用可能性】
【００４６】  以上のように、本発明では、手が小さく力の弱い女性でも扱うことができる動物識別耳標の装着器を提供でき、また、１台の耳標装着器で多種類の耳標装着を可能としたので、農家が耳標装着に関して苦慮している現状を解決できるほか、毎年配布している牛個体識別耳標の配布管理も簡素化できる等、産業上の利用可能性は極めて大きいものがある。
【符号の説明】
【００４７】１……………………………雄形状耳標
２……………………………雌形状耳標
１１…………………………第一耳標装着部
１２…………………………固定ハンドル部
１２ａ………………………握り部分
１３…………………………基本ケース
１５…………………………主枢支点ピン（主枢支点）
２１…………………………第二耳標装着部
３１…………………………片持ちピン
３１ｂ………………………密巻きに近いスプリング
３１ｄ………………………テーパ部（テーパ形状）
４１…………………………可動ハンドル部
４１ａ………………………握り部分
５１…………………………変形トグル機構
５１ａ………………………第一リンク枢支ピン
５１ｂ………………………第一リンク
５１ｃ………………………第二リンク枢支ピン
５１ｅ………………………第二リンク
５１ｆ，５１ｇ……………仮想直線
６１…………………………動力伝達機構
α  …………………………交差角度
ＥＴ…………………………動物識別耳標
Ｔ  …………………………装着器
【図１】
2018139574.tif 000003
【図２】
2018139574.tif 000004
【図３】
2018139574.tif 000005
【図４】
2018139574.tif 000006
【図５】
2018139574.tif 000007
【図６】
2018139574.tif 000008
【図７】
2018139574.tif 000009
【図８】
2018139574.tif 000010
【図９】
2018139574.tif 000011
【手続補正書】
【提出日】平成29年6月30日(2017.6.30)
【手続補正１】
【補正対象書類名】特許請求の範囲
【補正対象項目名】全文
【補正方法】変更
【補正の内容】
【特許請求の範囲】
【請求項１】
雄形状耳標とこの雄形状耳標を嵌め込む雌形状耳標とで一対とした動物識別耳標の装着器であって、前記雄形状耳標と前記雌形状耳標のうちいずれか一方の耳標を装着する第一耳標装着部とこの第一耳標装着部後方に位置する握り部分を有する固定ハンドル部とを一体的に形成した基本ケースを設ける一方、前記第一耳標装着部と前記固定ハンドル部の中間位置の前記基本ケースを主枢支点とし前記第一耳標装着部と間隔を設けて対向する前記雄形状耳標と前記雌形状耳標のうちの他方の耳標を装着する第二耳標装着部を備え、さらに、前記第二耳標装着部の前記主枢支点を共用し、かつ握り部分を有する可動ハンドル部を前記固定ハンドル部に間隔を設けて対向するように配置するとともに、前記可動ハンドル部と前記第二耳標装着部とを、動力伝達機構を備えた変形トグル機構を介して連結し、前記動力伝達機構を備えた変形トグル機構を、前記雄形状耳標と前記雌形状耳標とを嵌め込む際、ほぼ最大の嵌め込み力を必要とする前記第二耳標装着部の回動位置で最大近くの作用力を得られる姿勢になるように配置したことを特徴とする動物識別耳標の装着器。
【請求項２】
雄形状耳標とこの雄形状耳標を嵌め込む雌形状耳標とで一対とした動物識別耳標の装着器であって、前記雄形状耳標と前記雌形状耳標のうちいずれか一方の耳標を装着する第一耳標装着部とこの第一耳標装着部後方に位置する握り部分を有する固定ハンドル部とを一体的に形成した基本ケースを設ける一方、前記第一耳標装着部と前記固定ハンドル部の中間位置の前記基本ケースを主枢支点とし前記第一耳標装着部と間隔を設けて対向する前記雄形状耳標と前記雌形状耳標のうちの他方の耳標を装着する第二耳標装着部を備え、さらに、前記第二耳標装着部の前記主枢支点を共用し、かつ握り部分を有する可動ハンドル部を前記固定ハンドル部に間隔を設けて対向するように配置するとともに、前記可動ハンドル部と前記第二耳標装着部とを、動力伝達機構を備えた変形トグル機構を介して連結し、前記動力伝達機構を備えた変形トグル機構を、前記雄形状耳標と前記雌形状耳標とを嵌め込む際、ほぼ最大の嵌め込み力を必要とする前記第二耳標装着部の回動位置で最大近くの作用力を得られる姿勢になるように配置し、さらに、前記第一耳標装着部又は前記第二耳標装着部のうち前記雄形状耳標を装着するいずれか一つの耳標装着部に、前記雄形状耳標を内側から支える片持ちピンを設け、この片持ちピン形状のうち少なくともその一部分を根元部側が太く先端部側が細いテーパ形状としたことを特徴とする動物識別耳標の装着器。
【請求項３】
前記変形トグル機構を、前記基本ケースの前記主枢支点を境として前記固定ハンドル部と反対側に偏芯させた位置の前記基本ケース上に一端側を枢支した第一リンクと、この第一リンクの他端側を枢支位置として前記第一リンクよりも短尺で前記第二耳標装着部とを連結する第二リンクとで構成したことを特徴とする請求項１又は請求項２いずれか一つに記載の動物識別耳標の装着器。
【請求項４】
前記動力伝達機構は、前記可動ハンドル部の前記主枢支点を境として前記握り部分側と反対側の前記可動ハンドル部上に位置する部位と，前記第一リンクの枢支位置から前記第二リンクの前記枢支位置方向に向かった前記第一リンクの部位とを動力伝達連結したことを特徴とする請求項３に記載の動物識別耳標の装着器。
【請求項５】
前記第一リンクの枢支位置と前記第二リンクの枢支位置間の仮想直線と，前記第二リンクの前記枢支位置とこの第二リンクの前記第二耳標装着部とを連結する連結点間の仮想直線の交差角度を鋭角にしたことを特徴とする請求項３ないし請求項４いずれか一つに記載の動物識別耳標の装着器。
【請求項６】
前記第一リンクの枢支位置と前記第二リンクの枢支位置間の仮想直線と，前記第二リンクの前記枢支位置とこの第二リンクの前記第二耳標装着部とを連結する連結点間の仮想直線の交差角度を鋭角にするとともに、前記最大の作用力を得られる位置における前記第一リンクと前記第二リンクとの前記交差角度が思案点を超えないようにしたことを特徴とする請求項３ないし請求項５いずれか一つに記載の動物識別耳標の装着器。
【請求項７】
前記第一耳標装着部又は前記第二耳標装着部の内、前記雄形状耳標を装着するいずれか一つの耳標装着部に、前記雄形状耳標を内側から支える片持ちピンを固定するにあたり、前記片持ちピンの付け根側を、識別される動物の逃れ方向に回動するように取り付けたことを特徴とする請求項２ないし請求項６いずれか一つに記載の動物識別耳標の装着器。
【手続補正２】
【補正対象書類名】明細書
【補正対象項目名】全文
【補正方法】変更
【補正の内容】
【発明の詳細な説明】
【技術分野】
【０００１】  本発明は、動物等の個体識別に主に使用する耳標を装着する動物識別耳標の装着器に関し、詳しくは、小さい握りストロークにした上で更に耳標装着時の握り力を大幅に緩和した動物識別耳標の装着器に関する。
【背景技術】
【０００２】  畜産動物、例えば、牛の個体識別用として全国の各農家等に配付している現在の耳標は、当該耳標を装着するための器具を必要とする。
前記耳標の配布当初においては、ＢＳＥ（Ｂｏｖｉｎｅ  Ｓｐｏｎｇｉｆｏｒｍ  Ｅｎｃｅｐｈａｌｏｐａｔｈｙ：日本名  牛海綿状脳症）との関連において牛の個体識別管理等を緊急実施する必要性があったため、当該耳標を装着する装着器を、日本国内で使用するにふさわしい耳標装着器とすべく研究開発を行う間もないまま、やむなく耳標装着器を世界各国から集め全国の農家等へ配布した経緯がある。
従って、全国の各農家等には外国製で、しかも特定の耳標しか装着できない耳標装着器が各農家等に配布される結果となり、これに伴って、毎年農家に配布される当該耳標も各耳標装着器との適合性が必須要件となっている。
これは、耳標の配布管理も大変煩雑であるが、耳標装着器も外国製であることから、その握り部分が広すぎて使用しにくいとの問題も浮上してきている。特に最近、牛を含めた家畜等の飼養農家等には手が小さく力の弱い女性も多く進出しており、外国製の耳標装着器を扱うのに苦慮しているとの声も多く聞かれるようになってきている。
【先行技術文献】
【特許文献】
【０００３】
【特許文献１】特表２００１−５０５０５２号公報
【特許文献２】特表２０１３−５１７７９４号公報
【０００４】  「特許文献１」に記載されている技術は、日本国内に配布されている上述した外国製の耳標装着器のうちの一つの耳標装着器に係る技術であって、第１と第２のあご部及び各あご部を互いに引き寄せる方向に動かす第１と第２のハンドル部をピポット軸を中心に回動させることを基本とし、そのうちの第１のあご部と第１のハンドル部を釈放構造により連結し、耳標を牛耳等に打ち込んだ瞬間に第１のあご部が瞬時に戻る構造の耳標装着器（公報には「耳標取り付け具」と記載）の技術である。【０００５】  「特許文献２」には、「特許文献１」の技術を改良した技術が開示されている。
この技術は、「特許文献１」の釈放構造に代えてリンク部材と第２のリンクを枢着軸で連結しこれらリンクをほぼ直線に近い状態に伸ばすとともに、枢着軸を思案点超えをさせて少し“く”の字状態からそれ以上内側に曲がらない状態とすることにより、各リンクの姿勢を維持させ、これにより「特許文献１」で言うあご部材に該当する第１と第２のジョー部分を互いに引き寄せる方向に回動させ、耳標を牛耳等に打ち込んだ瞬間に、制御部材によって枢着軸部分が思案点を強制的に超えて戻る構造になっていて、“く”の字のリンクを反“く”の字状態にしてジョー部分を瞬時に戻すようにしている。
【発明の開示】
【発明が解決しようとする課題】
【０００６】  「特許文献１」に開示されている先行技術は、耳標を牛耳等に打ち込んだ瞬間に第１のあご部が瞬時に戻るようにしたものであり、また、「特許文献２」に記載された先行技術は、「特許文献１」の釈放構造をリンク機構に代えたものであって、上記いずれの先行技術も、耳標装着時の握り力を緩和したものではない。
特に、「特許文献１」に記載されている技術は、上述したように現行の日本国内に配布されている上述した外国製の耳標装着器そのものである。
現実に耳標を牛耳等に装着する際に「特許文献１」に記載された技術による耳標装着器は、牛耳の保護等の観点からは評価できるものであるが、大きな握り力と広い握り幅を必要とするため特に日本人女性にとっては扱いにくいとの上述した意見が多く聞かれる。【０００７】  現在日本全国の農家等へ配布している各耳標装着器は、鋏のように支点位置において一対の耳標装着部とハンドル部分をクロスさせているだけなので、力点・支点・作用点からなる“てこ”の原理そのものであって、作用力を増大させようとすれば必然的にハンドル部分は長い距離を必要としハンドル部分の握り幅は大きく広がることになる。
念のため、上記意見を技術的見地から確認するために上記各耳標装着器の力点―支点間の距離と支点―作用点間の距離を測定したところ、力点―支点間距離を１２．５ｃｍと固定した場合、力点と作用点の長さ比は、「特許文献１」に記載された技術により製作された耳標装着器も含め、力点１に対しすべての耳標装着器で作用点において０．５２〜０．６０程度であり、雄形状耳標を雌形状耳標に装着する際発生する挿入力（作用点における力）の１／２以上の握り力が必要であることが判明した。
特に厳冬期においては、常温時の数倍となる上記挿入力の増大に対し、耳標装着作業者が耳標装着時の対処に苦慮することが目に見えるようであり上記多くの意見を裏付ける結果となった。【０００８】  また、「特許文献１」に記載された技術により製作された耳標装着器に代表されるように雄形状耳標を内側から支えるピンは、耳標の製作者により雄形状耳標の前記ピンが入る孔が異なり、耳標装着後に前記ピンを雄形状耳標から抜く力を小さくする工夫する必要性から特殊形状をしているため、特定の耳標にしか使用できない。そのため、他の耳標を使用するためには、別の耳標装着器を用意しなければならない等の問題もある。
なお、上述した前記ピンを雄形状耳標から抜く力を小さくする必要があるのは、ハンドル部分のリターン用のスプリングを、ハンドルの戻り力に加え前記ピンを雄形状耳標から抜く力も考慮する必要があり、このピンの抜く力が大きい場合には、前記リターン用のスプリングを更に強くする必要があって、この力によりハンドルの握り力に多大な影響を及ぼすに他ならないからである。【０００９】    そこで、本発明は、耳標装着器の耳標装着時の握りストロークを小さくしてもなお、握り力を大幅に緩和できるようにすることによって、手が小さく力の弱い女性でも扱うことができる動物識別耳標の装着器を提供することを第一の目的とする。
また、１台の耳標装着器で多種類の耳標装着を可能とする動物識別耳標の装着器を提供することを第二目的とする。
【課題を解決するための手段】  上記目的を達成するために本発明では次のような手段を用いて課題を解決した。
第一の課題解決手段は、雄形状耳標とこの雄形状耳標を嵌め込む雌形状耳標とで一対とした動物識別耳標の装着器であって、前記雄形状耳標と前記雌形状耳標のうちいずれか一方の耳標を装着する第一耳標装着部とこの第一耳標装着部後方に位置する握り部分を有する固定ハンドル部とを一体的に形成した基本ケースを設ける一方、前記第一耳標装着部と前記固定ハンドル部の中間位置の前記基本ケースを主枢支点とし前記第一耳標装着部と間隔を設けて対向する前記雄形状耳標と前記雌形状耳標のうちの他方の耳標を装着する第二耳標装着部を備え、さらに、前記第二耳標装着部の前記主枢支点を共用し、かつ握り部分を有する可動ハンドル部を前記固定ハンドル部に間隔を設けて対向するように配置するとともに、前記可動ハンドル部と前記第二耳標装着部とを、動力伝達機構を備えた変形トグル機構を介して連結し、前記動力伝達機構を備えた変形トグル機構を、前記雄形状耳標と前記雌形状耳標とを嵌め込む際、ほぼ最大の嵌め込み力を必要とする前記第二耳標装着部の回動位置で最大近くの作用力を得られる姿勢になるように配置した動物識別耳標の装着器を提供する。【００１０】  第二の課題解決手段は、雄形状耳標とこの雄形状耳標を嵌め込む雌形状耳標とで一対とした動物識別耳標の装着器であって、前記雄形状耳標と前記雌形状耳標のうちいずれか一方の耳標を装着する第一耳標装着部とこの第一耳標装着部後方に位置する握り部分を有する固定ハンドル部とを一体的に形成した基本ケースを設ける一方、前記第一耳標装着部と前記固定ハンドル部の中間位置の前記基本ケースを主枢支点とし前記第一耳標装着部と間隔を設けて対向する前記雄形状耳標と前記雌形状耳標のうちの他方の耳標を装着する第二耳標装着部を備え、さらに、前記第二耳標装着部の前記主枢支点を共用し、かつ握り部分を有する可動ハンドル部を前記固定ハンドル部に間隔を設けて対向するように配置するとともに、前記可動ハンドル部と前記第二耳標装着部とを、動力伝達機構を備えた変形トグル機構を介して連結し、前記動力伝達機構を備えた変形トグル機構を、前記雄形状耳標と前記雌形状耳標とを嵌め込む際、ほぼ最大の嵌め込み力を必要とする前記第二耳標装着部の回動位置で最大近くの作用力を得られる姿勢になるように配置し、さらに、前記第一耳標装着部又は前記第二耳標装着部のうち前記雄形状耳標を装着するいずれか一つの耳標装着部に、前記雄形状耳標を内側から支える片持ちピンを設け、この片持ちピン形状のうち少なくともその一部分を根元部側が太く先端部側が細いテーパ形状とした動物識別耳標の装着器を提供する。【００１１】  第三の課題解決手段は、第一の課題解決手段又は第二の課題解決手段のいずれか一つに加え、前記変形トグル機構を、前記基本ケースの前記主枢支点を境として前記固定ハンドル部と反対側に偏芯させた位置の前記基本ケース上に一端側を枢支した第一リンクと、この第一リンクの他端側を枢支位置として前記第一リンクよりも短尺で前記第二耳標装着部とを連結する第二リンクとで構成した動物識別耳標の装着器を提供する。【００１２】  第四の課題解決手段は、第三の課題解決手段に加え、前記動力伝達機構は、前記可動ハンドル部の前記主枢支点を境として前記握り部分側と反対側の前記可動ハンドル部上に位置する部位と，前記第一リンクの枢支位置から前記第二リンクの前記枢支位置方向に向かった前記第一リンクの部位とを動力伝達連結した動物識別耳標の装着器を提供する。【００１３】  第五の課題解決手段は、第三の課題解決手段ないし第四の課題解決手段のいずれか一つに加え、前記第一リンクの枢支位置と前記第二リンクの枢支位置間の仮想直線と，前記第二リンクの前記枢支位置とこの第二リンクの前記第二耳標装着部とを連結する連結点間の仮想直線の交差角度を鋭角にした動物識別耳標の装着器を提供する。【００１４】  第六の課題解決手段は、第三の課題解決手段ないし第五の課題解決手段のいずれか一つに加え、前記第一リンクの枢支位置と前記第二リンクの枢支位置間の仮想直線と，前記第二リンクの前記枢支位置とこの第二リンクの前記第二耳標装着部とを連結する連結点間の仮想直線の交差角度を鋭角にするとともに、前記最大の作用力を得られる位置における前記第一リンクと前記第二リンクとの前記交差角度が思案点を超えないようにした動物識別耳標の装着器を提供する。【００１５】  第七の課題解決手段は、第二の課題解決手段ないし第六の課題解決手段のいずれか一つに加え、前記第一耳標装着部又は前記第二耳標装着部の内、前記雄形状耳標を装着するいずれか一つの耳標装着部に、前記雄形状耳標を内側から支える片持ちピンを固定するにあたり、前記片持ちピンの付け根側を、識別される動物の逃れ方向に回動するように取り付けた動物識別耳標の装着器を提供する。
【発明の効果】
【００１６】  上記、第一の課題解決手段による作用効果は、可動ハンドル部と第二耳標装着部とを、動力伝達機構を備えた変形トグル機構を介して連結し、この動力伝達機構を備えた変形トグル機構を、雄形状耳標と雌形状耳標とを嵌め込む際、ほぼ最大の嵌め込み力を必要とする第二耳標装着部の回動位置で最大近くの作用力が得られる姿勢になるように配置した。
したがって、第二耳標装着部においては、動物の耳の表裏に雄形状耳標と雌形状耳標が到達するまでは第二耳標装着部の回動速度が大きくなり回転トルクは大きくならないが、動物の耳の表裏に雄形状耳標と雌形状耳標が到達する頃には、第二耳標装着部の回動速度が小さくなるに従って回転トルクは大きくなり、雄形状耳標が雌形状耳標に嵌め込まれる近傍では回転トルクが著しく大きくなるので、この著しく大きくなる回転トルクを活用して、可動ハンドル部においては、小さな回動角度と握り力で強大な力を作用点である第二耳標装着部に伝達すべく、動力伝達機構を備えた変形トグル機構の動力伝達時の動きを増幅させることが可能となる。
これは、雄形状耳標が雌形状耳標に嵌め込まれる近傍では、第二耳標装着部の回動支点位置（主枢支点）での回転トルクを従来の耳標装着器に比べて著しく増大できることになるので、その回転トルクの一部を動力伝達機構に活用してもなお、第二耳標装着部の回動支点位置では従来の耳標装着器よりも大きな回転トルクを得ることができる。
すなわち、可動ハンドル部と固定ハンドル部間の最大握り幅を狭くし、握りにより回動角度が小さくなった可動ハンドル部の動きを動力伝達機構を備えた変形トグル機構を介して第二耳標装着部の回転角度を増幅させてもなお、第二耳標装着部の回動支点位置での回転トルクを従来の耳標装着器よりも大きくすることができることを意味する。
その結果、力点となる可動ハンドル部には、雄形状耳標または雌形状耳標のいずれかが動物の耳に到達するまでは、大きな力を必要としないので、第二耳標装着部の回動速度を優先させることができ、また、それ以降、雄形状耳標が動物の耳に食い込み雌形状耳標に入り込む途中では極めて大きな作用力が発生するが、力点である可動ハンドル部には小さな反力しか伝達されないことになる。
換言すれば、可動ハンドル部においては、動物の耳に雄形状耳標または雌形状耳標のいずれかが到達するまでは可動ハンドル部の回動速度が大きくなり、動物の耳に雄形状耳標が挿し込まれ雌形状耳標と合体する時は、可動ハンドル部の回動速度が小さくなる反面、小さな握り力で強大な力を作用点である第二耳標装着部に伝達できることにもなる。
このように、可動ハンドル部を従来の耳標装着器のようにハンドル部を長くして握り部分の幅を広げなくても小さな握り力で耳標を装着することが可能となる。その結果、手が小さく力の弱い女性でも扱うことができる動物識別耳標の装着器を提供することができる効果がある。【００１７】  上記、第二の課題解決手段による作用効果は、可動ハンドル部と第二耳標装着部とを、動力伝達機構を備えた変形トグル機構を介して連結し、この変形トグル機構を、雄形状耳標と雌形状耳標とを嵌め込む際、ほぼ最大の嵌め込み力を必要とする第二耳標装着部の回動位置で最大近くの作用力を得られる姿勢になるように配置した。したがって、第二耳標装着部においては、動物の耳の表裏に雄形状耳標と雌形状耳標が到達するまでは第二耳標装着部の回動速度が大きくなり回転トルクは大きくならないが、動物の耳の表裏に雄形状耳標と雌形状耳標が到達する頃には、第二耳標装着部の回動速度が小さくなるに従って回転トルクは大きくなり、雄形状耳標が雌形状耳標に嵌め込まれる近傍では回転トルクが著しく大きくなるので、この著しく大きくなる回転トルクを活用して、可動ハンドル部においては、小さな回動角度と握り力で強大な力を作用点である第二耳標装着部に伝達すべく、動力伝達機構を備えた変形トグル機構の動力伝達時の動きを増幅させることが可能となる。
これは、雄形状耳標が雌形状耳標に嵌め込まれる近傍では、第二耳標装着部の回動支点位置（主枢支点）での回転トルクを従来の耳標装着器に比べて著しく増大できることになるので、その回転トルクの一部を動力伝達機構に活用してもなお、第二耳標装着部の回動支点位置では従来の耳標装着器よりも大きな回転トルクを得ることができる。
すなわち、可動ハンドル部と固定ハンドル部間の最大握り幅を狭くし、握りにより回動角度が小さくなった可動ハンドル部の動きを動力伝達機構を備えた変形トグル機構を介して第二耳標装着部の回転角度を増幅させてもなお、第二耳標装着部の回動支点位置での回転トルクを従来の耳標装着器よりも大きくすることができることを意味する。
その結果、力点となる可動ハンドル部には、雄形状耳標または雌形状耳標のいずれかが動物の耳に到達するまでは、大きな力を必要としないので、第二耳標装着部の回動速度を優先させることができ、また、それ以降、雄形状耳標が動物の耳に食い込み雌形状耳標に入り込む途中では極めて大きな作用力が発生するが、力点である可動ハンドル部には小さな反力しか伝達されないことになる。
換言すれば、可動ハンドル部においては、動物の耳に雄形状耳標または雌形状耳標のいずれかが到達するまでは可動ハンドル部の回動速度が大きくなり、動物の耳に雄形状耳標が挿し込まれ雌形状耳標と合体する時は、可動ハンドル部の回動速度が小さくなる反面、小さな握り力で強大な力を作用点である第二耳標装着部に伝達できることにもなる。
このように、可動ハンドル部を従来の耳標装着器のようにハンドル部を長くして握り部分の幅を広げなくても小さな握り力で耳標を装着することが可能となる。その結果、手が小さく力の弱い女性でも扱うことができる動物識別耳標の装着器を提供することができる効果がある。
さらに、雄形状耳標を装着するいずれか一つの耳標装着部に前記雄形状耳標を内側から支える片持ちピンを設け、この片持ちピン形状のうち少なくともその一部分を根元部側が太く先端部側が細いテーパ形状としたことにより、耳標の製作者により異なる雄形状耳標の片持ちピンの挿入部分にも対応ができる。このことは、耳標によっては片持ちピンと雄形状耳標の挿入部分との嵌合がきつく雄形状耳標から片持ちピンが抜けにくい状態も考えられるが、この抜け始め位置における変形トグル機構の戻り力が極めて大きいため第二耳標装着部と第一耳標装着部の離間力が大きくなることを意味し、片持ちピンと雄形状耳標の挿入部分との嵌合がきつくても、簡単に耳標から片持ちピンを引き離すことができる。
すなわち、１台の耳標装着器で多種類の耳標装着を可能とする動物識別耳標の装着器を提供するとした第二の目的も達成できる。【００１８】  上記、第三の課題解決手段による作用効果は、最少の部品点数で変形トグル機構を、構成配置したので、耳標装着器全体を安価にしかも、コンパクト化することができ、女性でも扱いやすい動物識別耳標の装着器を提供することができる効果がある。【００１９】  上記、第四の課題解決手段による作用効果は、第二耳標装着部と可動ハンドル部との作動方向を逆にする、換言すれば、可動ハンドル部を握る方向に回動させれば第二耳標装着部は、第一耳標装着部側に向かって回動するので、従前の耳標装着器と同様に扱うことができ、作業者にとって違和感なく扱うことができる。【００２０】  上記、第五の課題解決手段による作用効果を述べると次のようになる。
すなわち、第二リンクの枢支位置における第一リンクの回転方向の力をＦとし、第二リンクの長手方向に作用する力をＰとし、第一リンクの枢支位置と第二リンクの枢支位置間の仮想直線と第二リンクの枢支位置とこの第二リンクの第二耳標装着部とを連結する連結点間の仮想直線の交差角度αとした時、Ｐ＝Ｆ／ｓｉｎαの関係式が成り立つので、前記交差角を鋭角にしたということは、該交差角が小さいほど第二リンクの長手方向に作用する力は増幅されることを意味し、具体的な意味において上記第一の目的達成に資することになる。【００２１】    上記、第六の課題解決手段による作用効果は、雄形状耳標と雌形状耳標を嵌め込む際、ほぼ最大の嵌め込み力を必要とする第二耳標装着部の回動位置で最大の作用力を得られる状態における第一リンクと第二リンクの位置関係で上記交差角度αが思案点を超えないようにしているので、第二耳標装着部が原位置に戻る際の戻り力を大きくできることを意味している。換言すれば、第二耳標装着部が外的障害物に触ったとしても動物からいち早く第二耳標装着部が離れることに繋がり、安全性を確保できることになる。
さらに加えて、第二耳標装着部が原位置に戻る際の戻り力を大きくできるということは、可動ハンドル部を耳標の装着完了位置から原位置に戻すための戻り力を小さくできることも意味しているので、この戻り力を仮にスプリングで行う場合は、このスプリング力を小さくできることから、可動ハンドル部を作業者が握った時の握り力を小さくすることができる作用効果もある。【００２２】  上記、第七の課題解決手段による作用効果は、片持ちピンの根元側は、識別される動物の逃れ方向に回動するように取り付けられているので、耳標装着に際して、動物がこの装着から逃れようとしても、回動作用により片持ちピンの姿勢は動物の逃れ方向に沿うようになり、動物識別耳標の装着器が飛ばされることなく、作業者は安全に作業をすることができる。【００２３】  このように、本発明では、手が小さく力の弱い女性でも扱うことができる動物識別耳標の装着器を提供すること及び１台の動物識別耳標の装着器で多種類の耳標装着を可能とする動物識別耳標の装着器を提供するとした所期の目的を達成できる他、各態様により上述したそれぞれの作用効果を奏する。
【図面の簡単な説明】
【００２４】
【図１】は、本発明の動物識別耳標の装着器の要部を示すもので、図２のＡ−Ａ線における外装部分及び一部の機構部分を断面した正面視の説明図
【図２】は、本発明の動物識別耳標の装着器の一例を示す平面図
【図３】は、図２の正面図
【図４】は、図１における正面視の動力伝達機構を備えた変形トグル機構を拡大して展開した説明図
【図５】は、図１の動力伝達機構部分の一部を拡大し、図４のＢ−Ｂ線位置で断面した正面視の説明図
【図６】は、雄形状耳標と雌形状耳標を嵌め込む際、ほぼ最大の嵌め込み力を必要とする第二耳標装着部の回動位置で最大近くの作用力を得られる姿勢の一例を示す説明図
【図７】は、耳標の装着が完了した瞬間の各機構の姿勢の一例を示す説明図
【図８】は、他の実施例を示す図１に相当する正面視の説明図
【図９】は、本発明の動物識別耳標の装着器により動物に装着する耳標の一例を示す一部断面した斜視説明図
【発明を実施するための形態】
【実施例】
【００２５】  先ず、本発明の動物識別耳標の装着器で動物に装着する動物識別耳標について述べる。
図９において、雄形状耳標１とこの雄形状耳標１を嵌め込む雌形状耳標２とで一対とした動物識別耳標ＥＴのうち、雄形状耳標１は、札部１ａとこの札部１ａの一部から延設した軸部１ｂとこの軸部１ｂ先端側に設けた矢尻部１ｃと軸部の中央付近に穿設したピン挿込穴１ｄとから成る。ピン挿込穴１ｄは、後述する動物識別耳標ＥＴの装着器Ｔの片持ちピン３１を挿し込む有底孔である。【００２６】  また、雌形状耳標２は、札部２ａと、この札部２ａの一部に設け抜け止め部２ｃを備えた嵌め込み穴２ｂと、矢尻収納部２ｄとを有する。【００２７】  上記動物識別耳標ＥＴは、図９に示すような札型のものや、図示しないが丸型のもの等装着動物により使い分けしているが、殆どが耳標製作メーカの推奨する同一の耳標装着器が使用できるようになっている。
そして、動物識別耳標ＥＴは、耳標製作メーカにより寸法や形状が異なるものの、基本構成は上述した通りであって、材質もその多くは、ポリウレタン樹脂を主体とした樹脂製であることを付記しておく。【００２８】  次に本発明の動物識別耳標の装着器について述べる。
図１〜図５において、動物識別耳標の装着器Ｔは、前記雄形状耳標１と前記雌形状耳標２のうちいずれか一方の耳標を装着する第一耳標装着部１１とこの第一耳標装着部１１後方に位置する握り部分１２ａを有する固定ハンドル部１２とを一体的に形成した基本ケース１３を設けている。なお、第一耳標装着部１１は、この実施例では雌形状耳標２を装着するようにしている。【００２９】  第一耳標装着部１１の先端側には、雌形状耳標２を挟み込むための耳標押え板１４を配備している。この耳標押え板１４は、第一耳標装着部１１に揺動支点１４ｃを持ち、第一耳標装着部１１先端側に位置するＵ字形の耳標押え部１４ａと、揺動支点１４ｃの後方に位置する押え解除片１４ｂと、この押え解除片を下方から付勢するスプリング１４ｄとから形成している。すなわち、雌形状耳標２は、スプリング１４ｄの付勢力により耳標押え部１４ａと第一耳標装着部１１先端部との間に挟まれるので、装着器Ｔの先端が下向きになっても雌形状耳標２がその自重等で位置ずれしない程度のスプリング１４ｄの付勢力とするのが望ましい。【００３０】  この実施例においては、耳標押え部１４ａ裏側に対面する位置の第一耳標装着部１１の先端部に、雌形状耳標２の受け部２ｅを納めるＵ字形の段溝１１ａを備えている。この段溝１１ａは、耳標製作メーカにより動物識別耳標の形状寸法が異なるので、図９に示す受け部２ｅがある雌形状耳標２については、受け部２ｅを段溝１１ａ内に収まるように段溝１１ａの寸法を定めればよく、受け部２ｅがない雌形状耳標については、段溝１１ａの上面１１ｂで受けるようにすればよい。
また、図９に示す矢尻収納部２ｄの外周部分はボス２ｆが形成されており、このボス２ｆに相当するものは他の各耳標も備えており、したがって、図９に示すものも含めてすべての雌形状耳標は矢尻収納部の外周形状がボスとして突出していることから、第一耳標装着部１１の先端部の段溝１１ａ下部の第一耳標装着部１１にはボス収納部１１ｃを設けていて、段溝１１ａとボス収納部１１ｃの存在により、現在流通している多くの動物識別耳標の雌形状耳標を耳標押え板１４で第一装着部に押え込むことができるようにしている。【００３１】  一方、第一耳標装着部１１と前記固定ハンドル部１２の中間位置の前記基本ケース１３には、主枢支点となる主枢支点ピン１５を配備している。そしてこの主枢支点ピン１５を枢支点とし第一耳標装着部１１と間隔を設けて対向する雄形状耳標１と前記雌形状耳標２のうちの他方の耳標（この実施例では雄形状耳標１）を装着する第二耳標装着部２１を備えている。主枢支点ピン１５の配設位置は、図１，図３において、第二耳標装着部２１が主枢支点ピン１５を中心として反時計回りに回動した時に第一耳標装着部１１と対向するように定めている。【００３２】  また、第二耳標装着部２１の先端側には、雄形状耳標１のピン挿入穴１ｄ（図９）に挿し込む片持ちピン３１を配設している。この片持ちピン３１はピン取付け部３１ａに螺設されていて、ピン取付け部３１ａは、密巻きに近いスプリング３１ｂを介して第二耳標装着部２１の先端側に固定したピン固定部３１ｃと繋がっている。
スプリング３１ｂの両端部分は、ピン取付け部３１ａとピン固定部３１ｃに圧接螺合か若しくはロー付等により固定されている。
そして、耳標装着時に動物が逃げた場合に動物用識別耳標ＥＴが動物の動きにより引っ張られるが、その際、スプリング３１ｂの中間部が動物の逃走方向に片持ちピン３１が回動するように曲がることによって片持ちピン３１から雄形状耳標１が抜けるようにして、動物の耳の損傷と片持ちピン３１の破損を防止している。
すなわち、通常の耳標装着時の動物用識別耳標ＥＴの姿勢は、動物の真横から動物側に先端部が向く姿勢で装着作業を行うので、動物が首を振って動物識別耳標の装着器Ｔから離れる方向に逃げる場合が多いことから、片持ちピン３１は少なくとも第二耳標装着部２１の前方に回動するように曲がる工夫をしている。これに伴って雌形状耳標２も第一耳標装着部１１の段溝１１ａとボス収納部１１ｃを第一耳標装着部１１先端側を開放して、片持ちピン３１の回動方向と同じ方向に雌形状耳標２が外れるようにしている。【００３３】  一方、片持ちピン３１は、雄形状耳標１のピン挿入穴１ｄに挿し込むが、このピンの一部にテーパ部３１ｄを形成している。このテーパ部３１ｄは、ピン挿入穴１ｄの形状寸法が各耳標メーカにより異なっても、片持ちピン３１に雄形状耳標１が喰い付くようにしたものである。
本発明では、片持ちピン３１と雄形状耳標１の喰い付き力が大きくなっても後述する耳標装着後の装着器Ｔには極めて大きな戻り力が発生するので、装着時の握り力にほぼ影響を与えることなく、この大きな戻り力によって確実に片持ちピン３１を雄形状耳標１から抜くことができる。
従来の装着器の場合では、装着動作後の戻り力を強くすれば装着時の握り力に大きな影響が出るため、戻り力を大きくできない問題があったが本発明はそれも解決している。【００３４】    次に、可動ハンドル部４１側について述べれば、基本ケース１３上の第二耳標装着部２１の主枢支点ピン１５を共用して、握り部分４１ａを有する可動ハンドル部４１を固定ハンドル部１２に間隔を設けて対向するように配置している。
そして、可動ハンドル部４１と第二耳標装着部２１は、動力伝達機構６１を備えた変形トグル機構５１を介して連結している。これを詳述すると次のようになる。
変形トグル機構５１は、基本ケース１３の主枢支点ピン１５中心を境として固定ハンドル部１２と反対側に偏芯させた位置の前記基本ケース１３上に一端側を第一リンク枢支ピン５１ａにより枢支した第一リンク５１ｂと、この第一リンク５１ｂの他端側の第二リンク枢支ピン５１ｃを枢支位置とした前記第一リンク５１ｂよりも短尺で第二耳標装着部２１とを連結ピン５１ｄにより連結する第二リンク５１ｅとで構成している。
加えて、第一リンク５１ｂと第二リンク５１ｅとを、雄形状耳標１と雌形状耳標２を嵌め込む際、ほぼ最大の嵌め込み力を必要とする第二耳標装着部２１の回動位置で最大近くの作用力を得られる姿勢になるように配置する。【００３５】  上記、雄形状耳標１と前記雌形状耳標２を嵌め込む際、ほぼ最大の嵌め込み力を必要とする第二耳標装着部２１の回動位置で最大近くの作用力を得られる姿勢について、更に詳述すれば、図１に示すように装着器Ｔの装着動作前の変形トグル機構５１の第一リンク５１ｂと第二リンク５１ｅの配置は次のように定めるのが望ましく、それにより、上記“最大近くの作用力を得られる姿勢”を得ることができる。【００３６】  すなわち、装着器Ｔの装着動作前の変形トグル機構５１のなす角度、詳しくは、第一リンク５１ｂの枢支位置である第一リンク枢支ピン５１ａの中心と第二リンク５１ｅの枢支位置である第二リンク枢支ピン５１ｃの中心間の仮想直線５１ｆと第二リンク５１ｅの枢支位置である第二リンク枢支ピン５１ｃの中心とこの第二リンク５１ｅの第二耳標装着部２１とを連結する連結点である連結ピン５１ｄの中心間の仮想直線５１ｇのなす角度α（図１参照）を定めるには、先ず、動物用識別耳標ＥＴの雄形状耳標１の矢尻部１ｃが雌形状耳標２の嵌め込み穴２ｂに入る際、最も大きな装着力を必要とする位置（図６に示す部分）から、矢尻部１ｃが嵌め込み穴２ｂを抜け出る位置（図７に示す部分）までの第二耳標装着部２１の回動位置を求める。これにより、第二耳標装着部の最も大きな装着力を必要とする位置における連結ピン５１ｄの中心位置が定まるので、この状態で、ここに第二リンクの連結位置を配すれば、第一リンク５１ｂと第二リンク５１ｅ両方の仮想直線５１ｆ，５１ｇのなす角度αが小さくなる。加えて、矢尻部１ｃが嵌め込み穴２ｂを抜け出る位置における連結ピン５１ｄの中心が、仮想直線５１ｆ（思案点）を超えない位置になるように第一リンク５１ｂと第二リンク５１ｅの位置を仮想直線５１ｆと仮想直線５１ｇのなす角度αが最も小さくなるように調整して定める。【００３７】  次に、装着器Ｔの装着動作前の片持ちピン３１の先端と耳標押え板１４ａ間の距離が適正になるように第二耳標装着部２１の主枢支点ピン１５を回転中心とした回動開始位置を定める。これにより、回動開始位置における連結ピン５１ｄの位置が決まるので、その位置で、連結ピン５１ｄの軸芯を中心とした仮想直線５１ｇの長さを半径とした仮想円と、第一リンク枢支ピン５１ａの軸芯を中心とした仮想直線５１ｆの長さを半径とした仮想円との交点で第二リンク枢支ピン５１ｃにより第一リンク５１ｂと第二リンク５１ｅを連結すれば、必然的に装着器Ｔの装着動作前の変形トグル機構５１を配置する位置が定まる。この時、仮想直線５１ｆと仮想直線５１ｇの交差角度が鋭角にすることが望ましい。
その理由は、いま、第二リンク５１ｅの第二リンク枢支ピン５１ｃ位置における第一リンク５１ｂの回転方向の力をＦとし、第二リンク５１ｅの長手方向下向きに作用する力（仮想直線５１ｇ上の下向きの力）をＰとし、仮想直線５１ｆと仮想直線５１ｇの交差角度をαとした時、Ｐ＝Ｆ／ｓｉｎαの関係式が成り立つので、前記交差角を鋭角にすることが望ましいということは、ｓｉｎαが１未満となり該交差角αが９０度より小さいほど第二リンク５１ｅの長手方向に作用する力は増幅される。
換言すれば、図６，図７に示すように、交差角αが思案点近くまで小さくなればなるほど第二リンク５１ｅの下向きの長手方向に作用する力は著しく増大し、雄形状耳標１と前記雌形状耳標２を嵌め込む際、ほぼ最大の嵌め込み力を必要とする第二耳標装着部２１の回動位置で最大近くの作用力を得られることになる。【００３８】  続いて、変形トグル機構５１に備えた動力伝達機構６１について説明すれば、上述したように、雄形状耳標１と雌形状耳標２を嵌め込む際、ほぼ最大の嵌め込み力を必要とする第二耳標装着部２１の回動位置の交差角αが思案点近くまで小さくなり（図６参照）第二リンク５１ｅの下向きの長手方向に作用する力は著しく増大するので、第一リンク５１ｂを動かす力Ｆは極めて小さな動力伝達でよいことになる。【００３９】このように、第一リンク５１ｂを動かす力Ｆは極めて小さな動力伝達でよいことから、動力伝達機構６１を定めるにあたっては次の手順で定めるのが望ましい。
先ず、日本人女性の手のひらサイズから固定ハンドル部１２の握り部１２ａと可動ハンドル部４１の握り部４１ａ間の広さを求めて、装着器Ｔの装着動作前の可動ハンドル部４１の位置を定める。
次に、主枢支点ピン１５中心位置と第一リンク枢支ピン５１ａ間の適正位置に動力伝達ピン６１ａを配置する。
これは、第一リンク枢支ピン５１ａと動力伝達ピン６１ａの中心間距離が短くても、変形トグル機構５１の連結ピン５１ｄの位置では、角度αが小さくなれば強大な力が増幅されることに鑑み、第一リンク枢支ピン５１ａと動力伝達ピン６１ａの中心間距離を長くしなくても充分強大な力を片持ちピン３１に伝達でき、コンパクトな動力伝達機構６１にできること、及び第一リンク５１ｂを図１において反時計回りに回動させるために他ならない。
なお、この動力伝達ピン６１ａは図４に示すように、この実施例では２枚の第一リンク５１ｂ間に挟むように固定する。そして、図５で詳細に示すように可動ハンドル部４１の主枢支点ピン１５の固定ハンドル部１２の反対側に長溝４１ｂを設け、この長溝４１ｂに動力伝達ピン６１ａを嵌め込む。
すなわち、可動ハンドル部４１が主枢支点ピン１５を中心に時計方向に回動するとき、第一リンク５１ｂは第一リンク枢支ピン５１ａを中心に長溝４１ｂの回転方向と反対に反時計方向に回転し動力伝達ピン６１ａが長溝の中を僅かにスライドしながら、可動ハンドル部４１の動力を第一リンク５１ｂに伝達するようにする。
このような動力伝達機構６１の構成により、従来の装着器同様、可動ハンドル部４１を握ると、第二耳標装着部２１は第一耳標装着部１１側に回動するようにできるので、従来の装着器を使い慣れた作業者でも違和感なく本発明の装着器Ｔを操作できる。【００４０】  ちなみに、この実施例の装着器Ｔの握り力について検討してみると、例えば各図の構成比の場合、主枢支点ピン１５の中心から可動ハンドル部４１の握り部４１ａ（力点）までの距離を１２．５ｃｍとし、この握り部４１ａに加える力を１とした時の片持ちピン３１に加わる力（作用力）の倍率は、図１の無負荷状態時で約１．４倍，図６のほぼ最大の嵌め込み力を必要とする第二耳標装着部２１の回動位置で最大近くの作用力を得られる姿勢状態時で約５．５倍，となり、力点である握り部４１ａの握り力に換算すると、雄形状耳標１を雌形状耳標２に装着する際発生する挿入力（作用点における力）の約５．５分の１の握り力で済むことになって、従来の各装着器の約２．７５分の１以下の握り力ですむことになり、力のない女性でも容易に扱えることを付記する。【００４１】  上述のように、小さな握り力で大きな装着力を得られるので、力のない女性でも動物用耳標を牛耳に装着することができる本発明は、装着後の戻り力も大きくできることを意味している。
すなわち、第一リンク５１ｂの後述するスプリング６１ｃによる戻り力により、耳標装着後の変形トグル機構５１の姿勢第一リンク５１ｂに対する第二リンク５１ｅの前述した角度αが思案点を超えない最も小さい角度の状態になっているため、片持ちピン３１位置における戻り力は最も増幅された戻り力となる。
片持ちピン３１のテーパ部３１ｄは、雄形状耳標１のピン挿入穴１ｄの形状寸法が各耳標メーカにより異なることによる前述した喰い付き現象があっても、片持ちピン３１位置の増幅された戻り力により、この喰い付き現象を解消して各メーカの雄形状耳標から片持ちピン３１を抜くことができ、しかも、可動ハンドル部４１の握り力に影響を与えることがないことを意味している。
その結果、雄形状耳標は上記理由により、また、雌形状耳標２の受け部２ｅを第一耳標装着部の段溝１１ａ内に収まるように段溝１１ａの寸法を定め、受け部２ｅがない雌形状耳標については、段溝１１ａの上面１１ｂで受けるようにすることにより、多少形状寸法が異なる雄形状耳標１と雌形状耳標２であっても本発明の装着器Ｔは、同一の装着器で、片持ちピンを交換することなく多くの種類の耳標を装着できる効果もある。【００４２】  なお、スプリング６１ｃは第一リンク５１ｂの第一リンク枢支ピン５１ａと第二リンク枢支ピン５１ｃ間に設けたスプリングハンガー６１ｄと可動ハンドル部４１に設けたスプリングハンガーピン４１ｄとに張るスプリングであって、常に、第一リンクを時計回りに回動させ、可動ハンドル部４１を反時計回りに回動するよう付勢している。
このスプリング６１ｃは、柔らかすぎると装着器Ｔの自重や重心位置によっては自重等の影響により可動ハンドル部４１が動くと持ちにくくなるため、装着器Ｔの自重や重心位置を考慮しつつ、耳標装着時の握り力に大きな影響を与えない範囲においてその強さを定めればよい。【００４３】  または、図８に示すように、固定ハンドル部１２と可動ハンドル部４１の図８に示す位置にもう１本補助的に補助スプリング６１ｄを設けてもよく、スプリング６１ｃを取り除いて補助スプリング６１ｄのみにしても本発明は達成される。【００４４】  なお、第一リンク５１ｂと主枢支点ピン１５は図１（詳細は図４参照）の状態では接触しているが、これは、装着器Ｔの装着動作前の片持ちピン３１の先端と耳標押え板１４ａ間の距離が適正になるように第二耳標装着部２１の主枢支点ピン１５を回転中心とした回動開始位置を定めるに際し、この実施例では第一リンク５１ｂと主枢支点ピン１５を接触させることにより第二耳標装着部２１の回動開始位置を定めている。
また、日本人女性の手のひらサイズから固定ハンドル部１２の握り部１２ａと可動ハンドル部４１の握り部４１ａ間の広さを求めて、装着器Ｔの装着動作前の可動ハンドル部４１の位置を定めるに際し、この実施例では、可動ハンドル部４１の先端側の一部を膨出させて第一リンク枢支ピン５１ａに接触させ可動ハンドル部４１のストッパとしている。【００４５】  さらにこの実施例では、図１，図４〜図８に示すように、連結ピン５１ｄ，第二リンク枢支ピン５１ｃ，及び第一リンク枢支ピン５１ａのスラスト方向への移動規制策として、一方向へはスライドするが他方向へはその位置でロックする一方向ワッシャ７１ａを設けており、さらに、主枢支ピン１５及び第一リンク枢支ピン５１ａの両端部を袋ナット状の一方向ワッシャ７１ｂで各ピンのスラスト方向の動きを規制している。
これは、ねじ等を使用しないため緩む心配がないばかりか組立工数削減等に効果がある。
【産業上の利用可能性】
【００４６】  以上のように、本発明では、手が小さく力の弱い女性でも扱うことができる動物識別耳標の装着器を提供でき、また、１台の耳標装着器で多種類の耳標装着を可能としたので、農家が耳標装着に関して苦慮している現状を解決できるほか、毎年配布している牛個体識別耳標の配布管理も簡素化できる等、産業上の利用可能性は極めて大きいものがある。
【符号の説明】
【００４７】  １……………………………雄形状耳標
２……………………………雌形状耳標
１１…………………………第一耳標装着部
１２…………………………固定ハンドル部
１２ａ………………………握り部分
１３…………………………基本ケース
１５…………………………主枢支点ピン（主枢支点）
２１…………………………第二耳標装着部
３１…………………………片持ちピン
３１ｂ………………………密巻きに近いスプリング
３１ｄ………………………テーパ部（テーパ形状）
４１…………………………可動ハンドル部
４１ａ………………………握り部分
５１…………………………変形トグル機構
５１ａ………………………第一リンク枢支ピン
５１ｂ………………………第一リンク
５１ｃ………………………第二リンク枢支ピン
５１ｅ………………………第二リンク
５１ｆ，５１ｇ……………仮想直線
６１…………………………動力伝達機構
α  …………………………交差角度
ＥＴ…………………………動物識別耳標
Ｔ  …………………………装着器